(57)【特許請求の範囲】
【請求項１】
キー操作部と、
キー操作部を操作しながら目視確認可能な第１表示面を有する第１表示手段と、
第２表示面を有する第２表示手段と、
キー操作部の操作に基づいて第２表示面に画像を表示するとともに、第１表示面にキー操作部の操作内容および第２表示面に表示する画像と同一の画像を表示するように、第１および第２表示手段を制御する制御手段とを含むことを特徴とする携帯電子装置。
【請求項２】
制御手段は、キー操作部の操作に基づいて、予め定める所定の画像に、装飾画像を合成した画像を、第１および第２表示面に表示するように、第１および第２表示手段を制御することを特徴とする請求項１に記載の携帯電子装置。
【発明の詳細な説明】
【０００１】
【発明の属する技術分野】
本発明は、携帯電子装置に関し、たとえばカメラを搭載した携帯電話機に好適に用いられる携帯電子装置に関する。
【０００２】
【従来の技術】
近年、入力された光信号を電気信号に変換する撮像素子および撮像レンズを有するカメラを搭載した携帯電子装置（以下、単に携帯と呼ぶ）が実用化されている。たとえば、この種の携帯において、撮影された撮影画像を画像データとして画像ファイルに記憶させておき、必要に応じて、携帯正面側の第１表示面を目視しつつキー操作部を操作し、操作対象の画像データに種々の設定を行った後、この画像データを含む添付ファイルを所望のメールアドレスへ送信したり画像出力装置などへ出力する。画像データに種々の設定を行うとき、たとえば人物像の背景に所望の装飾を施すとき、操作対象の画像および装飾画像は、携帯背面側の第２表示面だけに表示されるようになっている。
【０００３】
【発明が解決しようとする課題】
このような従来技術では、画像データに種々の設定を行うとき、第１表示面には、操作対象の画像データおよび装飾データの項目名つまりタイトルしか表示されていないので、操作対象の画像および装飾画像をタイトルから連想したうえで操作設定した後、携帯背面側の第２表示面でもって画像および装飾画像を目視確認しなければならない。つまり、設定終了段階において、画像および装飾画像を初めて目視確認するので、設定途中に設定ミスがあったとしても気付きにくいし設定時間も長くかかる場合が多い。しかも折りたたみ式の携帯では、消費電力を軽減させるため、第１表示面と第２表示面とを同時に表示することができない。それ故、折りたたみ式の携帯で前記と同様な設定を行うとき、携帯を開いた状態で操作設定した後、携帯を一旦閉じ、第２表示面で画像および装飾画像を目視確認しなければならず操作性が悪い。
【０００４】
したがって本発明の目的は、画像データに種々の設定を行う設定途中のミスを極力防止し、設定時間の短縮を図り、その操作性を向上させることができる携帯電子装置を提供することである。
【０００５】
【課題を解決するための手段】
本発明は、キー操作部と、
キー操作部を操作しながら目視確認可能な第１表示面を有する第１表示手段と、
第２表示面を有する第２表示手段と、
キー操作部の操作に基づいて第２表示面に画像を表示するとともに、第１表示面にキー操作部の操作内容および第２表示面に表示する画像と同一の画像を表示するように、第１および第２表示手段を制御する制御手段とを含むことを特徴とする携帯電子装置である。
【０００６】
本発明に従えば、複数の画像データのうちから所望の画像データを選択する際、第１表示手段の第１表示面を目視しながら、キー操作部を操作してその操作内容を確認する。このとき、第２表示手段の第２表示面に所望の画像が表示されるとともに、第１表示手段の第１表示面にも、前記所望の画像が表示される。それ故、画像データに種々の設定を行う設定途中のミスを極力防止することができる。
【０００７】
また本発明は、制御手段は、キー操作部の操作に基づいて、予め定める所定の画像に、装飾画像を合成した画像を、第１および第２表示面に表示するように、第１および第２表示手段を制御することを特徴とする。
【０００８】
本発明に従えば、第１、第２表示手段の第１、第２表示面に所望の画像を表示させた状態で、これら表示面に所望の装飾画像をそれぞれ合成させることができる。
【０００９】
【発明の実施の形態】
図１は、本発明の一実施形態に係る携帯電話機１の正面図であり、図２は携帯電話機１の要部背面部分を示す側面図である。本実施形態は、携帯電子装置を、小型カメラ２を搭載した折りたたみ式の携帯電話機１（以下、単に携帯１と呼ぶ）に適用した場合の一例である。以下、図１における上下左右方向を上下左右として説明する。携帯１は、主に、第１、第２表示面３，４を含む第１ケーシング５と、キー操作部６を含む第２ケーシング７とを有し、第１ケーシング５が第２ケーシング７に対してひんじ部８を介して折りたたみ可能に構成されている。携帯１を開いた外観上において、第１ケーシング５の正面部には、キー操作部６を手指で操作しつつその操作内容を目視確認可能な矩形状の第１表示面３ａを有する第１表示手段としての第１表示部３が形成され、図１における第１表示部３の直ぐ上方には、スピーカ用の開口部９が形成されている。また、第１ケーシング５の背面部分には、第１ケーシング５の上端よりも所定距離上方に突出するアンテナ１０が付設されている。
【００１０】
第１ケーシング５の背面部には、第１表示面３ａと同時に目視確認不可能で第１表示面３ａの大きさの約１／２の矩形状に形成された第２表示面４ａであって、キー操作部６の操作に基づいて、所望の画像を表示する第２表示面４ａを有する第２表示手段としての第２表示部４が形成されている。この第２表示部４の直ぐ上方には、入力された光信号を電気信号に変換する撮像素子および撮像レンズを有する撮像部２すなわち小型カメラ２が付設されている。上部ケーシング５の右側面部における下半部には、撮影画像すなわち表示バッファ１１に一時記憶された表示データを画像ファイル１２に転送し記録するためのスイッチ部１３が付設されている。
【００１１】
第２ケーシング７の正面部にはキー操作部６が配設され、後述するが、このキー操作部６のキー操作によって、電話およびメールを送受信可能に構成されるとともに、複数の設定メニュー、各設定メニューにおけるタイトルなどがそれぞれ切換え可能に構成されている。第２ケーシング７において、キー操作部６の直ぐ下方には、外部の音声を集音する内蔵マイク用の開口部１４などが形成されている。
【００１２】
図３は携帯１の回路ブロック図である。携帯１は、これらキー操作部６、スイッチ部１３、第１、第２表示部３，４およびドライバ１５，１６と、撮像部２、増幅部１７、Ａ／Ｄ変換部１８、信号処理部１９、表示バッファ１１と画像ファイル１２と電話帳ファイル２０とを備えた記憶部２１、制御手段としての制御部２２、無線部２３、通信制御部２４などを有する。撮像部２において、入力された光信号が電気信号つまりＲＧＢアナログ撮像信号に変換されて増幅部１７へ出力され、増幅部１７にて信号増幅された後、Ａ／Ｄ変換部１８においてＲＧＢデジタル撮像信号に変換され信号処理部１９に出力される。信号処理部１９は、制御部２２からのコマンド入力によってＲＧＢデジタル撮像信号を各種画像処理にてＲＧＢ二値化データに変換し、記憶部２１の表示データ一時記憶エリアである表示バッファ１１へ記憶する。
【００１３】
制御部２２は、キー操作部６、スイッチ部１３、通信制御部２４からの各種信号に基づいて、信号処理部１９、記憶部２１、ドライバ１５，１６の動作制御、選択切換えなどを行う機能を有し、特に、記憶された画像データに種々の設定を行うとき、第２表示部４の第２表示面４ａに所望の画像を表示させるとともに、前記所望の画像を第１表示部３の第１表示面３ａの略下半部のプレビュー表示エリア３Ａに表示させる機能を有する（図５参照）。また、制御部２２は、予め画像ファイル１２に格納された複数の装飾画像データのうち、キー操作部６のキー操作によって選択された所望の装飾画像データの装飾画像を、第２表示部４の第２表示面４ａに所望の画像を表示させた状態で、合成表示させるとともに（図９参照）、前記所望の装飾画像を、第１表示部３の第１表示面３ａの略下半部つまりプレビュー表示エリア３Ａに前記所望の画像を表示させた状態で、合成表示させる機能を有する（図８参照）。
【００１４】
キー操作部６の所定操作によって、制御部２２がカメラ撮像モードに切換わり、信号処理部１９に対してＲＧＢデジタル撮像信号を各種画像処理を実行するようコマンド出力するようになっている。制御部２２は、所定の周期で第１表示部３のドライバ１５にコマンド出力するとともに、記憶部２１の表示バッファ１１に記憶されたＲＧＢ二値化データをドライバ１５へ表示データとして出力する。このドライバ１５は第１表示部３の表示コントロールと駆動回路とで構成され、前記表示データは、ドライバ１５にて描画信号に処理され、通常使用される第１表示部３に撮影画像が出力される。撮影対象の被写体に対して撮影画像が定まった時点でスイッチ部１３を操作すると、表示バッファ１１に一時記憶された表示データが画像ファイル１２に転送され、画像データとして記憶されるようになっている。
【００１５】
画像ファイル１２に複数の画像データが記憶された状態において、キー操作部６の所定操作によって、制御部２２は、第２表示部４のドライバ１６にコマンド出力するとともに、画像ファイル１２に記憶された複数の画像データのうちから所望の画像データを読出し、第２表示部４のドライバ１６に表示データとして出力する。この表示データは、ドライバ１６にて描画信号に処理され、第２表示部４に前記画像データの画像が出力されるようになっている。無線部２３においては、無線基地局からの無線通信を受信し、通信制御部２４で無線部２３からのデータを所定のプロトコルに従って受信データとして取込む。制御部２２は、無線部２３、通信制御部２４を介して入力される受信データによって着信を検出し、受信データ中の画像データを抽出した後、画像データを記憶部２１の画像ファイル１２へ記憶するようになっている。
【００１６】
図４は、記憶部２１内のファイル構造を説明する図表である。記憶部２１において、画像ファイル１２は画像ライブラリであって、その画像データフィールドには、撮像部２によって撮像され記憶された画像データ、または、ウェブ画面、メール添付画像などを、たとえば通信回線網を介してダウンロードし記憶された画像データが収納されている。各画像データは、画像番号毎にレコードの単位で収納され、各レコードは画像番号と画像のデータフィールドとで構成されている。
【００１７】
電話帳ファイル２０には、名前および電話番号などが登録された複数の個人情報データが収納され、各個人情報データは、個人情報毎にレコードの単位で収納され、各レコードは登録番号、電話番号、メールアドレス、第１表示部３の画像番号、第２表示部４の画像番号、名前、その他着信設定のデータフィールドなどで構成されている。電話帳ファイル２０の第２表示部４の画像番号データフィールドには、着信時に第２表示部４に表示される表示情報または画像ファイル１２の所定のレコードを特定する画像番号が収納される。第２表示部４の画像番号データフィールドに画像番号が収納されているときには、そのレコード内には画像ファイル１２内の画像が記憶されたことを意味し、画像番号データフィールドに画像番号が収納されていないときには、画像登録がされていないことを意味している。
【００１８】
通常着信時において、電話帳ファイル２０の電話番号フィールドに先方の電話番号が存在すれば、その電話番号と同一レコードの第２表示部画像番号フィールドの画像番号に相当する画像ファイル１２の画像データを呼出して表示する。たとえば、この携帯１に電話番号Ｔ０２の相手から電話がかかってくると、電話帳ファイル２０の各レコードの電話番号フィールドを検索し、登録番号０２の電話番号にその電話番号Ｔ０２が登録されていることを照合する。一致する電話番号が存在すれば、同一レコード内の第２表示部画像番号のデータＦ２−０２を読出し、データが「３」であれば画像ファイル１２の画像番号１〜ｎのうち、画像番号３レコードの画像フィールドのデータを第２表示部４に表示する。
【００１９】
図５は、設定メニューおよび画像データが表示された第１表示部３の部分正面図であり、図６は、画像データが表示された第２表示部４の部分背面図であり、図１０は、第２表示部４における着信設定時の表示設定を行うフローチャートである。ここで、Ｓｉ（ｉ＝１，２，３，…）はステップを示す。ステップ１において、第１表示部３に初期画面つまりメニュー画面が表示された状態で、キー操作部６のうちのたとえば各種ファンクションキーなどを操作することによって、着信設定モードに設定し、ステップ２において第１表示部３に着信設定画面を表示する。次に、ステップ３に移行して第１表示部３の着信設定画面を目視しつつ、キー操作部６をキー操作することによって特定相手先の電話番号を入力する。その後ステップ４において、第１表示部３に電話帳画面を表示し、ステップ３で入力した電話番号と、電話帳ファイル２０の電話番号フィールドに記憶された電話番号が一致したレコードの各種個人設定項目とが表示される。
【００２０】
ステップ５では、第１表示部３において電話帳画面における各種個人設定項目のうち、着信時の第２表示部４の表示設定ファンクションをキー操作部６でもって選択操作し、ステップ６にて第１表示部３に第２表示部４の表示設定画面を表示し、その後ステップ７に移行する。ステップ７にて、第１表示部３の略上半部における画像選択表示エリア３Ｂにおいて、キー操作部６によって指定されたカーソルＣＲ上の画像データ名（オリジナル２）で、予め記憶された画像データの画像をプレビュー表示エリア３Ａに表示する（図５参照）。次にステップ８においてキー操作部６のうちの図示外のカーソルキーまたは登録キーを操作し、ステップ９へ移行する。ステップ９において、登録キーを操作したと判定されるとステップ１１に移行し、このステップ１１において、カーソルＣＲで選択された画像データ名の画像データを画像ファイル１２に記憶するとともに、電話帳ファイル２０の該当レコードの“第２表示部４の画像番号”フィールドに、先に記憶した画像ファイル１２の画像番号を登録した後ステップ１２に移行する。ステップ９において、カーソルキーを操作したと判定されると、ステップ１０に移行し、第１表示部３の画像選択表示エリア内において、隣接した画像データ名にわたってカーソルＣＲを上下移動させステップ７に戻る。
【００２１】
図７は、設定メニューおよび画像が表示された第１表示部３の部分拡大正面図であり、図８は、装飾設定メニューおよび画像が表示された第１表示部３の部分拡大正面図であり、図９は装飾設定段階における第２表示部４の部分拡大正面図である。図１１は画像装飾設定時のフローチャートである。ここで、Ｓｉ（ｉ＝１２，１３，１４，…）はステップを示す。ステップ１１の後、表示内容の画像修飾を行わない場合には、ステップ２０へ進み、第２表示部４の着信シーケンスを終了する。第１表示部３に対する第２表示部４の表示設定に引続いて、表示内容の画像装飾を施す際にはステップ１３に進み、このステップ１３において、第２表示部４の画像装飾設定メニューをキー操作部６によって選択すると、ステップ１４に移行する。ステップ１４では、第１表示部３に、第２表示部４の画像装飾設定画面を表示する。
【００２２】
その後、ステップ１５において、前記カーソルＣＲで示された装飾画像データ名（装飾２）に予め登録された画像データを、表示バッファ１１のプレビュー表示エリア３Ａにオーバーライトしすなわち画像の合成処理を行い、プレビュー表示エリア３Ａに装飾画像２５を合成表示する。なお、表示バッファ１１内のプレビュー表示エリア３Ａには、第２表示部４の表示設定で予め設定された画像データが収納されている。画像選択表示エリア３Ｂに表示された複数の装飾画像データ名に対しては、画像ライブラリからデータ名に対応する装飾画像データがそれぞれ記憶されている。次に、ステップ１６にてキー操作部６のうちのカーソルキーまたは登録キー（決定キーともいう）を操作すると、ステップ１７へ移行し、ステップ１７において、登録キーを操作したと判定されるとステップ１９に移行する。
【００２３】
ステップ１９においては、表示バッファ１１内のプレビュー表示エリア３Ａに記憶された合成表示データを、新たな画像として電話帳ファイル２０の該当レコードの“第２表示部４の画像番号”フィールドに記憶するとともに、登録された画像番号に対応する画像ファイル１２の画像フィールドに記憶した後、ステップ４０に移行して画像装飾設定および第２表示部４の着信シーケンスを終了する。ステップ１７において、カーソルキーを操作したと判定されると、ステップ１８に移行し、第１表示部３の画像選択表示エリア３Ｂ内において、隣接した装飾画像データ名にわたってカーソルＣＲを上下移動させ、ステップ１５に戻る。
【００２４】
図１２は第２表示部４における通常着信時のフローチャートである。ここで、Ｓｉ（ｉ＝３０，３１，３２，…）はステップを示す。ステップ３０においては、着信の待受けを行い通常着信の有無を判定し、着信があればステップ３１へ移行する。ステップ３１において、発信番号通知の有無を判定し、先方が電話番号を通知してきた場合にはステップ３２へ進み、かかってきた相手先の電話番号と、電話帳ファイル２０の各レコードの電話番号フィールドに登録された電話番号とが一致するものがあるか照合する。次に、ステップ３３にて照合した結果、一致する登録済みの電話番号があれば、ステップ３４に移行し、電話番号が一致したレコードの第２表示部画像番号フィールドのデータを読出し、このデータと画像ファイルの各レコードの画像番号フィールドに登録されている番号に一致しているものがあるか否か照合する。
【００２５】
ステップ３５において照合した結果、一致する画像番号があればステップ３６へ進み、ステップ３６において、照合が一致した画像ファイルのレコードの画像フィールド内に登録されたデータを表示する。画像フィールドには、撮像部２によって予め撮像され記憶された画像データ、または、ウェブ画面、メール添付画像などを、たとえば通信回線網を介してダウンロードし記憶された画像データが記憶されている。その後、ステップ３７にて、携帯１が折りたたみ状態であるか否か判定され、開いた状態にするとステップ３８へ進み、着信表示シーケンスを終了する。折りたたみ状態すなわち閉じた状態であると判定されると、ステップ３７に戻る。ステップ３１において、先方が電話番号を通知してこなかった場合（非通知発信の場合）、ステップ３９にて第２表示部４に通常着信表示を表示した後、ステップ３７に移行する。ステップ３３にて照合した結果、一致する登録済みの電話番号がなければ、ステップ４０にて第２表示部４に先方の電話番号を表示し、ステップ３７に移行する。ステップ３５において照合した結果、一致する画像番号がなければ、ステップ４１にて電話番号が一致したレコードの名前フィールドの表示を行った後、ステップ３７に移行する。
【００２６】
以上、説明した携帯１によれば、所望の画像データを選択する際、第１表示部３の第１表示面３ａを目視しながら、キー操作部６を操作してその操作内容を確認する。このとき、第２表示部４の表示面４ａに所望の画像が表示されるとともに、第１表示部３のプレビュー表示エリア３Ａにも、同一の画像が表示されるので、画像データに種々の設定を行う設定途中のミスを極力防止することができ、設定時の確実性が高まるうえ、設定時間の短縮を図ることができる。設定終了段階で第２表示部４の第２表示面４ａを目視確認する必要もなくなるので、その操作性を向上させることができる。また、第１、第２表示部３，４の第１、第２表示面３ａ，４ａに所望の画像を表示させた状態で、これら第１、第２表示面３ａ，４ａに所望の装飾画像をそれぞれ合成表示させることができる。このように画像データの付加価値を迅速に高めた後、種々利用することができる。
【００２７】
本発明の実施の他の形態として、複数の画像データおよび装飾画像データを記録媒体に記録しておき、図示外の画像データ読取り装置を介して記録媒体の画像データを記憶部に適宜格納する構成にすることも可能である。キー操作部はたとえばダイヤル式の操作部（ジョグダイヤルともいう）も含まれ、このダイヤル式の操作部を上部ケーシングまたは下部ケーシングの側面部に付設した構造にすることも可能である。装飾画像としては、様々な背景画像または種々のデザインの壁紙などを適用することができる。画像データおよび装飾画像データは、記憶部に格納されたものに限定されず、たとえば、通信回線網を介して適宜利用することも可能である。本実施形態においては、第１表示部３をプレビュー表示エリア３Ａと画像選択表示エリア３Ｂとに分割表示する構造にしているが、これに限定されるものではなく、画像データに種々の設定を行うとき、プレビュー表示エリアのみを表示させたうえ、プレビュー表示エリア内において文字領域部分だけをカーソルキーにて選択し得る構造にすることも可能である。携帯は、折りたたみ式のものに限定されるものではなく、通常のフラット型のものを適用し得る。その他、前記実施形態に、特許請求の範囲を逸脱しない範囲において種々の部分的変更を行う場合もある。
【００２８】
【発明の効果】
以上のように本発明によれば、所望の画像データを選択する際、第１表示手段の第１表示面を目視しながら、キー操作部を操作してその操作内容を確認する。このとき、第２表示手段の第２表示面に所望の画像が表示されるとともに、第１表示手段の第１表示面にも、同一の画像が表示されるので、画像データに種々の設定を行う設定途中のミスを極力防止することができ、設定時の確実性が高まるうえ、設定時間の短縮を図ることができる。設定終了段階で第２表示手段の表示面を目視確認する必要もなくなるので、その操作性を向上させることができる。
【００２９】
また本発明によれば、第１、第２表示手段の第１、第２表示面に所望の画像を表示させた状態で、これら表示面に所望の装飾画像をそれぞれ合成表示させることができる。このように画像データの付加価値を迅速に高めた後、種々利用することができる。
【図面の簡単な説明】
【図１】本発明の実施形態に係る携帯電話機の正面図である。
【図２】携帯電話機の要部背面部分を示す側面図である。
【図３】携帯電話機の回路ブロック図である。
【図４】記憶部内のファイル構造を説明する図表である。
【図５】設定メニューおよび画像が表示された第１表示部の部分正面図である。
【図６】画像が表示された第２表示部の部分背面図である。
【図７】設定メニューおよび画像が表示された第１表示部の部分拡大正面図である。
【図８】装飾設定メニューおよび画像が表示された第１表示部の部分拡大正面図である。
【図９】装飾設定段階における第２表示部の部分拡大正面図である。
【図１０】第２表示部における着信設定時の表示設定を行うフローチャートである。
【図１１】画像装飾設定時のフローチャートである。
【図１２】第２表示部における通常着信時のフローチャートである。
【符号の説明】
１  携帯
３  第１表示部
４  第２表示部
３ａ  第１表示面
４ａ  第２表示面
３Ａ  プレビュー表示エリア
６  キー操作部
２１  記憶部
２２  制御部
２５  装飾画像
【図１】
0003824544.tif 000002
【図２】
0003824544.tif 000003
【図３】
0003824544.tif 000004
【図４】
0003824544.tif 000005
【図５】
0003824544.tif 000006
【図６】
0003824544.tif 000007
【図７】
0003824544.tif 000008
【図８】
0003824544.tif 000009
【図９】
0003824544.tif 000010
【図１０】
0003824544.tif 000011
【図１１】
0003824544.tif 000012
【図１２】
0003824544.tif 000013